(57)【要約】【課題】表示品質の向上と消費電力低減を両立した冷蔵庫及び表示装置の提供。【解決手段】冷蔵庫本体の扉前面に当該扉の前面から発泡断熱材側に凹部を形成するように設けられた基板収納部と、前記基板収納部に設置した操作表示部１６とを備え、前記操作表示部は化粧板２４、基板１９、基板保持部１８からなり、前記化粧板には表記を設けるとともにこの表記裏面と対向する基板上に導光板２２を配置し、この導光板の一片に対向させて当該導光板と略同一面上となる前記基板上にＬＥＤ発光体２３を設け、当該ＬＥＤ発光体によって前記導光板を一片側から照射して光らせる構成としてある。これにより、導光板全体が明るく光って化粧板の表記全域を照らし、かつ、奥行き寸法も小さくできてその分扉断熱材を厚くでき、表示品質の向上と消費電力低減を両立できる。【選択図】図７
2014031956.tif 000002
【特許請求の範囲】
【請求項１】
冷蔵庫本体に設けられた貯蔵室と、前記貯蔵室の前面開口を開閉する扉と、前記扉内に充填された発泡断熱材と、前記扉の前面に当該扉の前面から前記発泡断熱材側に凹部を形成するように設けられた基板収納部と、前記基板収納部に設置した操作表示部とを備え、前記操作表示部は化粧板、基板、基板保持部からなり、前記化粧板には表記を設けるとともにこの表記裏面と対向する基板上に導光板を配置し、この導光板の一片に対向させて当該導光板と略同一面上となる前記基板上にＬＥＤ発光体を設け、当該ＬＥＤ発光体によって前記導光板を一片側から照射して光らせることを特徴とした冷蔵庫。
【請求項２】
導光板のＬＥＤ発光体と対向する一片には円弧状の凹部を形成した請求項１記載の冷蔵庫。
【請求項３】
凹部の円弧状は曲率の異なる少なくとも二つの円弧で形成し、両側部の円弧に対して中央部の円弧の曲率を小さくしたことを特徴とする請求項２記載の冷蔵庫。
【請求項４】
導光板を複数隣接して配置する場合には、導光板の凹部とＬＥＤ発光体の配置を同方向に配置した請求項２または３記載の冷蔵庫。
【請求項５】
導光板と基板との間に静電タッチセンサを設け、導光板と対向する化粧板の表記部分を操作部とした請求項１〜４のいずれか１項記載の冷蔵庫。
【請求項６】
表記を施した化粧板、化粧板の背面に配置した基板、及び基板保持部からなり、前記化粧板の表記背面と対向する基板上に導光板を配置し、この導光板の一片に対向させて当該導光板と略同一面上となる前記基板上にＬＥＤ発光体を設け、当該ＬＥＤ発光体によって前記導光板を一片側から照射して光らせる構成とした表示装置。
【発明の詳細な説明】
【技術分野】
【０００１】
本発明は冷蔵庫及び表示装置に関するものである。
【背景技術】
【０００２】
一般に冷蔵庫の中には、扉正面に操作表示装置を設け、この操作表示装置の操作部を操作して例えば庫内設定温度を高中低のいずれかに切り替えるなどができるようにしたものが見られる。そしてこのような冷蔵庫の操作部には静電タッチスイッチを用いるとともにその表示部にはＬＥＤ発光体がられている（例えば、特許文献１参照）。
【０００３】
図１４は上記特許文献１の操作表示部を示し、扉正面板となるガラス板１０１の背面に表示部１０２とタッチ検出部１０３を備え、更に前記表示部１０２の背面にＬＥＤ発光体１０４を設け、これらタッチ検出部１０３とＬＥＤ発光部１０４を設けた基板１０５を基板ケース１０６で保持して構成してある。
【先行技術文献】
【特許文献】
【０００４】
【特許文献１】特開２０１１−５８７８７号公報
【発明の概要】
【発明が解決しようとする課題】
【０００５】
上記従来の構成によれば、ガラス板１０１に設けた操作部１０７にタッチすることによって、その背面に設けたタッチ検出部１０３がこれを検出して例えば庫内設定温度を変更するとともに、その変更内容をＬＥＤ発光体１０４の発光によって表示部１０２を介して知ることができる。
【０００６】
しかしながら、前記ＬＥＤ発光体１０４は光の指向性が強いため、表示部１０２の背面側から照射するようにしていると、照射範囲がピンポイントのように狭いものとなってしまう。そのため、その表示部１０２の表記全体を照らすことができず、点点灯のような表示しかできないという課題があった。
【０００７】
これを解決すべく表示部１０２の表記全体を照らすようにしようとすれば、ＬＥＤ発光体１０４を表示部１０２からある程度離して設置する必要があり、そのため操作表示部の奥行き寸法が大きくなって、その大きくなった寸法分だけ扉断熱材の厚さが薄くなり、その結果、扉の断熱性が低下して、折角ＬＥＤ発光体１０４を用いて消費電力を抑えたのにもかかわらず電力消費量が逆に多くなるという課題があった。
【０００８】
本発明はこのような点に鑑みてなしたもので、消費電力の増加を抑えつつ表示表記全体を広範囲に照射可能とした冷蔵庫及び表示装置を提供するものである。
【課題を解決するための手段】
【０００９】
本発明は上記目的を達成するため、冷蔵庫は、冷蔵庫本体に設けられた貯蔵室と、前記貯蔵室の前面開口を開閉する扉と、前記扉内に充填された発泡断熱材と、前記扉の前面に当該扉の前面から前記発泡断熱材側に凹部を形成するように設けられた基板収納部と、前記基板収納部に設置した操作表示部とを備え、前記操作表示部は化粧板、基板、基板保持部からなり、前記化粧板には表記を設けるとともにこの表記裏面と対向する基板上に導光板を配置し、この導光板の一片に対向させて当該導光板と略同一面上となる前記基板上にＬＥＤ発光体を設け、当該ＬＥＤ発光体によって前記導光板を一片側から照射して光らせ
る構成としてある。
【００１０】
また、表示装置は、表記を施した化粧板、化粧板の背面に配置した基板、及び基板保持部からなり、前記化粧板の表記背面と対向する基板上に導光板を配置し、この導光板の一片に対向させて当該導光板と略同一面上となる前記基板上にＬＥＤ発光体を設け、当該ＬＥＤ発光体によって前記導光板を一片側から照射して光らせる構成としてある。
【００１１】
これにより、導光板全体が明るく光るようになるので指向性の強いＬＥＤ発光体を用いていても広範囲を明るくすることができ、表記全体を明るく照らして品質の高い表示が可能になるとともに、前記導光板を照射するＬＥＤ発光体は導光板と同じ平面上となる基板上に設けてあるから、表記部分からの奥行き方向の寸法は導光板の板圧分だけのきわめて小さなものとすることができ、その分扉断熱材の厚みを厚くできて扉の断熱性を向上させ、消費電力を低減させて省エネ化が促進できる。
【発明の効果】
【００１２】
本発明は、導光板全体が明るくなって表記全体を照らすことができ、表示品質を向上させることができるとともに、導光板を照射するＬＥＤ発光体は導光板と略同一面上に位置していてその奥行き方向の寸法を小さくできるから、冷蔵庫にあってはその分扉の断熱材を厚くすることができ、断熱性能を向上させＬＥＤ発光体が持つ省エネ性を生かして省エネ化を更に促進することができ。
【図面の簡単な説明】
【００１３】
【図１】本発明の実施の形態１における冷蔵庫の外観正面図
【図２】同冷蔵庫の扉の操作表示部を分解して示す斜視図
【図３】同冷蔵庫の扉の操作表示部の断面図
【図４】同冷蔵庫の操作表示部の分解斜視図
【図５】同冷蔵庫の操作部の要部を示す拡大分解斜視図
【図６】同冷蔵庫の化粧板裏面、導光板、基板を示す分解斜視図
【図７】同冷蔵庫の操作表示部における静電タッチセンサ部分の拡大断面図
【図８】同図７のＡ−Ａ断面図
【図９】同冷蔵庫における基板保持部に取り付けた基板の静電タッチセンサ部分を示す拡大正面図
【図１０】同冷蔵庫の化粧板の操作部部分を示す断面図
【図１１】同図１０のＢ−Ｂ断面図
【図１２】同冷蔵庫の操作表示におけるＬＥＤ発光体と導光板との関係を示す説明図
【図１３】同冷蔵庫の操作表示部における導光板の断面図
【図１４】従来の冷蔵庫における操作表示部の断面図
【発明を実施するための形態】
【００１４】
第１の発明は、冷蔵庫本体に設けられた貯蔵室と、前記貯蔵室の前面開口を開閉する扉と、前記扉内に充填された発泡断熱材と、前記扉の前面に当該扉の前面から前記発泡断熱材側に凹部を形成するように設けられた基板収納部と、前記基板収納部に設置した操作表示部とを備え、前記操作表示部は化粧板、基板、基板保持部からなり、前記化粧板には表記を設けるとともにこの表記裏面と対向する基板上に導光板を配置し、この導光板の一片に対向させて当該導光板と略同一面上となる前記基板上にＬＥＤ発光体を設け、当該ＬＥＤ発光体によって前記導光板を一片側から照射して光らせる構成としてある。
【００１５】
これにより、導光板全体が明るく光るようになるので指向性の強いＬＥＤ発光体を用いていても広範囲を明るくすることができ、表記全体を明るく照らして品質の高い表示が可能になるとともに、前記導光板を照射するＬＥＤ発光体は導光板と同じ平面上となる基板
上に設けてあるから、表記部分からの奥行き方向の寸法は導光板の板圧分だけのきわめて小さなものとすることができ、その分扉断熱材の厚みを厚くできて扉の断熱性を向上させ、消費電力を低減させて省エネ化が促進できる。
【００１６】
第２の発明は、第１の発明において、導光板のＬＥＤ発光体と対向する一片には円弧状の凹部を形成した構成としてある。
【００１７】
これにより、導光板にＬＥＤ発光体を近接設置しても凹部による偏光によって導光板全体を効率よく光らせることができ、広域表示を実現しつつ導光板とＬＥＤ発光体との間の寸法を極小化して設置スペースのコンパクト化も図ることができる。
【００１８】
第３の発明は、第２の発明において、凹部の円弧状は曲率の異なる少なくとも二つの円弧で形成し、両側部の円弧に対して中央部の円弧の曲率を小さくした構成としてある。
【００１９】
これにより指向性の高いＬＥＤ発光体の中央部分からの光は曲率の小さな中央部の円弧状凹部による偏光によって導光板の周囲部分へ分散し、ＬＥＤ発光体周縁部分からの光は曲率の大きな円弧状凹部によって導光板の中央寄りへと偏光し、導光板全体の明るさを均一化し、かつ、より高めることができる。よってこの導光板と対向する表記全体をより効率よく均一に明るく照らすことができ、表示品質を更に高いものとすることができる。
【００２０】
第４の発明は、第２または第３の発明において、導光板を複数隣接して配置する場合、導光板の凹部とＬＥＤ発光体の配置を同方向に配置した構成としてある。
【００２１】
これにより、導光板の凹部とＬＥＤ発光体との間の寸法の極小化効果が、複数の導光板分だけ相乗的に発揮され、複数の導光板を有する表示部の設置スペースをコンパクト化できるとともに、同方向よりＬＥＤ発光体を導光板の凹部に対向させることが出来るので、組立性が向上する。
【００２２】
第５の発明は、第１〜第４の発明において、導光板と基板との間に静電タッチセンサを設け、導光板と対向する化粧板の表記部分を操作部とした構成としてある。
【００２３】
これにより、操作部の表記をその全体を明るく照らすことができ、化粧板にスモーク等をかけて通常は表記が見えないようにして意匠性やいたずら抑止性を向上させつつ操作時には操作表記全体を見やすくして操作性を向上させることができる。
【００２４】
第６の発明は、表記を施した化粧板、化粧板の背面に配置した基板、及び基板保持部からなり、前記化粧板の表記背面と対向する基板上に導光板を配置し、この導光板の一片に対向させて当該導光板と略同一面上となる前記基板上にＬＥＤ発光体を設け、当該ＬＥＤ発光体によって前記導光板を一片側から照射して光らせる構成とした表示装置であり、第１の発明と同様、表記全体を明るく照らして品質の高い表示が可能になる。
【００２５】
以下、本発明の実施の形態について、図面を参照しながら説明する。なお、この実施の形態ではタッチ操作する操作部の表記部分に適応した場合を例にして説明するが、これによって本発明が限定されるものではない。
【００２６】
（実施の形態１）
図１は本発明の実施の形態１における冷蔵庫の外観斜視図、図２は同冷蔵庫の扉の操作表示部を分解して示す斜視図、図３は同冷蔵庫の扉の操作表示部の断面図、図４は同冷蔵庫の操作表示部の分解斜視図、図５は同冷蔵庫の操作部の要部を示す拡大分解斜視図、図６は同冷蔵庫の化粧板裏面、導光板、基板を示す分解斜視図、図７は同冷蔵庫の操作表示
部における静電タッチセンサ部分の拡大断面図、図８は同図７のＡ−Ａ断面図、図９は同冷蔵庫における基板保持部に取り付けた基板の静電タッチセンサ部分を示す拡大正面図、図１０は同冷蔵庫の化粧板の操作部部分を示す断面図、図１１は同図１０のＢ−Ｂ断面図、図１２は同冷蔵庫の操作表示におけるＬＥＤ発光体と導光板との関係を示す説明図、図１３は同冷蔵庫の操作表示部における導光板の断面図である。
【００２７】
図１において、冷蔵庫本体１は、前方に開口する金属製の外箱と硬質樹脂製の内箱との間にウレタン等を充填発泡して形成してある。上記冷蔵庫本体１はその内部に貯蔵室５〜９が設けてある。この貯蔵室５〜９は、上部から、冷蔵室５、冷蔵室５の下に位置する切替室６及び切替室６に並設した製氷室７、切替室６及び製氷室７の下部に位置する冷凍室８、冷凍室８の下部に位置する野菜室９となっている。
【００２８】
また、前記冷蔵室５の前面は、例えば観音開き式の扉１０，１０により開閉自由に閉塞し、切替室６及び製氷室７と冷凍室８と野菜室９の前面部は引き出し式の扉１１，１２，１３，１４によって開閉自由に閉塞してあり、いずれの扉１０〜１４も冷蔵庫本体１と同様硬質ウレタン等を充填発泡させた発泡断熱材１５（図３参照）を有した断熱扉となっている。
【００２９】
ここで、上記各扉１０〜１４のうち、観音開き式扉の右側扉１０には操作表示部１６が設けてあり、以下その構成を説明する。
【００３０】
図２〜図１３において、１７は前記扉１０の前面に当該扉１０の前面から前記発泡断熱材１５側に凹部を形成するように設けた基板収納部で、扉１０の長辺端部の上下に亘って設けてある。１８は上記基板収納部１７に設置した基板保持部で、図４、図５、図７等から明らかなように前面側に操作部用の基板１９が、反対側面には機能部品用基板２０が取り付けてある。
【００３１】
２１は上記操作部用の基板１９に組み込んだ静電タッチセンサである。この実施の形態では冷却能力のアップ及びダウン用及びメニュー／決定用の三つの静電タッチセンサ２１が組み込んである。
【００３２】
２２は上記各静電タッチセンサ２１に重合させて設けた導光板で、その一片、この実施の形態では上辺に対向する如く前記基板１９にＬＥＤ発光体２３が設けてある。上記導光板２２はＬＥＤ発光体２３と略同一面上に位置しており、図１２、図１３に示すようにＬＥＤ発光体２３と対向する一片には曲率の異なる円弧状凹部２２ａを、また後述する化粧板側面にはシボ加工２２ｂを、更に外周辺部分には傾斜面２２ｃを形成してある。そして前記各静電タッチセンサ２１がタッチ操作を検出すると、その静電タッチセンサ２１に対応したＬＥＤ発光体２３が通電され、その光によって導光板２２が光り輝くようになっている。
【００３３】
２４は前記基板保持部１８及び操作部用の基板１９の前面を覆う如く前記基板収納部１７に取り付けた化粧板で、前記静電タッチセンサ２１及びこれに重合配置した導光板２２と対向する部分には例えば「∧」「∨」「メニュー決定」等を表記して操作部２５としてある。また、上記操作部２５の内面部分、すなわち前記上下の静電タッチセンサ２１の導光板２２と対向する内面部分には、図１０、図１１に示すように導光板設置用凹所２４ａが形成してあり、その導光板設置用凹所２４ａの外周辺部分には前記導光板２２の傾斜面２２ｃと対応させて傾斜させることで導光板２２を隙間無く設置できるようにするとともに急激な板厚変化による化粧板２４のヒケ防止を図っている。
【００３４】
ここで、前記操作部用の基板保持部１８には図５、図７等に示すように弾性力を有する
基板押さえ部２６が一体形成してあり、前記基板１９を化粧板２４側に附勢して基板１９上の各静電タッチセンサ２１及びこれに重合設置した導光板２２を操作部２５に押し付けるように構成してある。特にこの実施の形態では、前記基板押さえ部２６は各静電タッチセンサ２１に対応させてそれぞれ設けることにより、各静電タッチセンサ２１を個々に化粧板２４の操作部２５に押し付けるようにしてある。
【００３５】
また、前記基板保持部１８には図５、図７等に示すように基板１９の上下端部と対応する部分に基板離脱防止ストッパー２７が形成してあり、この基板離脱防止ストッパー２７に基板１９の上下両端部をはめ込むことによって基板押さえ部２６の弾発力によって基板１９が基板保持部１８から離脱するのを防止している。そして、基板離脱防止ストッパー２７の厚みは導光板２２の厚みより薄い寸法としてあるので、導光板２２と基板離脱防止ストッパー２７に対応する導光板設置用凹所２４ａの深さを同一とでき、段差の無い面となっている。
【００３６】
上記構成において、この冷蔵庫の操作表示部１６は、操作部２５の表記にタッチすると、ＬＥＤ発光体２３が発光して導光板２２が光り、操作部２５に表記した表示を明るく照らす。すなわち、導光板２２はその一片の凹部からＬＥＤ発光体２３の光の照射を受け、明るく光り、操作部２５に表記した表示を明るく照らすことになる。
【００３７】
このとき導光板２２は前記ＬＥＤ発光体２３からの光の照射を受ける一片に曲率の異なる円弧状の凹部が設けてあるから、ＬＥＤ発光体２３の光を効率よく生かして均一に明るく輝くことになる。
【００３８】
すなわち、図１２の破線はＬＥＤ発光体２３からの光線を示すもので、指向性の強いＬＥＤ発光体２３からの光は約２０度から３０度程度しか広がらないが、中央部分からの光は破線イで示すように中央部の曲率の小さな円弧状凹部２２ａによって図中左右方向に偏光され、導光板２２の全域に分散してこれを明るくすることになる。一方、ＬＥＤ発光体２３の外周部からの光は破線ロで示すようにその左右方向への広がりが抑制される方向に偏光され、導光板２２外に放射される無駄な光が少なくなって導光板２２を照射する光量が増大する。これによって、導光板２２はＬＥＤ発光体２３からの光を効率よく生かして明るく均一に光り輝くことになる。よって、ＬＥＤ発光体２３を導光板２２の一片側に設置して当該一片側から照射するようにしていても、十分な明るさで操作部２５の表記を見やすくすることができる。
【００３９】
また、前記導光板２２のＬＥＤ発光体２３と対向する一片に円弧状の凹部２２ａを形成したことによって、導光板２２とＬＥＤ発光体２３とを近接設置していても、凹部２２ａによる偏光作用によって前記した如く導光板全体を効率よく均一に光らせることができる。すなわち、導光板２２とＬＥＤ発光体２３との間の寸法を極小化して設置スペースのコンパクト化を図りつつ導光板２２、ひいては操作部２５の表記全体を明るく均一に照らすことができる。
【００４０】
特に、上記導光板２２を複数隣接して配置する場合、導光板２２の凹部２２ａとＬＥＤ発光体２３の配置を同方向に配置しておけば、導光板２２の凹部２２ａとＬＥＤ発光体２３との間の寸法の極小化効果が、複数の導光板２２分だけ相乗的に発揮され、複数の導光板２２を有する表示部の設置スペースを一段とコンパクト化できるとともに、同方向よりＬＥＤ発光体２３を導光板２２の凹部２２ａに対向させることが出来るので、組立性が向上する。
【００４１】
更に、この実施の形態では前記導光板２２の外周辺部は傾斜面としてあるから、導光板２２内に照射された光はこの傾斜面によって導光板２２内へと屈折されて導光板２２内に
とどまる光量も多くなり、より一層明るく光るものとなる。
【００４２】
加えて更に前記導光板２２はその傾斜面以外の表示部側平坦面にシボ加工２２ｂが施してあるから、導光板２２内に入射した光はこのシボによって乱反射し操作部２５と対向する面全体が明るく光るようになる。
【００４３】
よって、操作部２５の表記はより一層その全域が明るく照らされることになる。
【００４４】
一方、上記したようにＬＥＤ発光体２３を導光板２２の一片側に設置したことにより操作部２５からの奥行き方向の寸法は導光板２２の板厚分だけでよく、これらＬＥＤ発光体２３と導光板２２を重合配置する場合に比べるとその奥行き方向の寸法を少なくすることができ、その分扉の発泡断熱材１５の厚みを厚くすることができる。特にＬＥＤ発光体２３は上記した如く光の指向性が強いため導光板２２に重合配置した場合、当該導光板２２の平面全域を明るくするためにはある程度導光板２２との間の距離を確保する必要があって、その分発泡断熱材１５の厚みが薄くなってしまうため効果的である。この発泡断熱材１５の厚みを厚くできることによって断熱効果を高めることができ、その分省エネが促進できる。特にこの実施の形態のように操作表示部１６を扉端縁部に設けたものにあっては当該扉端縁部が扉全体の中でも最も温度上昇しやすい場所であることから発泡断熱材１５を厚くできることは効果的である。
【００４５】
また、この実施の形態では、上記表示構成を施した部分は静電タッチセンサ２１を設けた操作部２５となっていて、使用者が操作部２５にタッチすると、ＬＥＤ発光体２３が発光して導光板２２が光り輝き、操作部２５に表記した表示を視認しやすくなる。したがって、前記化粧板２４にスモークをかけて通常は操作部２５の表記を見えにくくして意匠性を向上させることができるとともに、子供が操作部を視認して引き起こすいたずら等も抑止することができる。しかも、このように意匠性を向上させ、いたずら防止を図るべく化粧板２４にスモークを施していても、一度操作部２５にタッチすればその表示が見えるようになるので操作性も良好なものとすることができる。
【００４６】
また、上記静電タッチセンサ２１は基板押さえ部２６によって常に化粧板２４の操作部２５側に押し付けられているので、静電タッチセンサ２１、導光板２２、化粧板２４の操作部２５の間は隙間無く常に密接することになる。よって静電タッチセンサ２１は化粧板２４の操作部２５をタッチ操作されると、導光板２２を介してこれを感度良く検出し、入力ミスを解消若しくは大幅に低減することができる。
【００４７】
また、上記静電タッチセンサ２１を設けた基板１９は基板離脱防止ストッパー２７によって基板保持部１８に保持されているので、静電タッチセンサ２１を設けた基板１９と基板保持部１８とは基板押さえ部２６の弾発力に抗してユニット化することができ、操作表示部の組み立て過程において、静電タッチセンサ２１を設けた基板１９と基板保持部１８がバラバラになって組み立て性が低下するのを防止でき、生産性を向上することができる。
【００４８】
なお、詳述しないが、この実施の形態で示した表示構成は操作部２５の表記に対して適用したものを例示したが、表示専用部分にも適用できるものであることは言うまでもない。
【００４９】
以上説明したように本発明は、表示部に導光板を配置し、当該導光板の一片側からＬＥＤ発光体の光を照射して表示部の表記を広範囲に照らすことができるようにしたもので、冷蔵庫に適用した場合を例にして説明したが、冷蔵庫に限らず各種の機器に適用できるものであり、その場合、上記実施の形態で説明した表示装置は機器本体や本実施の形態と同
様扉或いはリモコン等、種々のものに設けることができる。
【産業上の利用可能性】
【００５０】
以上のように本発明は、表示品質の向上と消費電力低減の両立を図ることができ、一般用はもちろん業務用の冷蔵庫および家電機器や事務機器、電子機器等多くの機器に幅広く適用できる。
【符号の説明】
【００５１】
１  冷蔵庫本体
５  冷蔵室（貯蔵室）
６  切替室
７  製氷室
８  冷凍室
９  野菜室
１０，１１，１２，１３，１４  扉
１５  発泡断熱材
１６  操作表示部
１７  基板収納部
１８  基板保持部
１９  基板
２０  機能部品用基板
２１  静電タッチセンサ
２２  導光板
２２ａ  円弧状凹部
２２ｂ  シボ加工
２２ｃ  傾斜面
２３  ＬＥＤ発光体
２４  化粧板
２４ａ  導光板設置用凹所
２５  操作部
２６  基板押さえ部
２７  基板離脱防止ストッパー
２８  表示用ＬＥＤ発光体群
２９  表示部
【図１】
2014031956.tif 000003
【図２】
2014031956.tif 000004
【図３】
2014031956.tif 000005
【図４】
2014031956.tif 000006
【図５】
2014031956.tif 000007
【図６】
2014031956.tif 000008
【図７】
2014031956.tif 000009
【図８】
2014031956.tif 000010
【図９】
2014031956.tif 000011
【図１０】
2014031956.tif 000012
【図１１】
2014031956.tif 000013
【図１２】
2014031956.tif 000014
【図１３】
2014031956.tif 000015
【図１４】
2014031956.tif 000016